(57)【要約】【課題】建具枠および建具枠まわりの施工性および防水性の高い建具枠の取付構造および建具枠の施工方法を提供する。【解決手段】建物の開口部１４に建具枠１を取り付ける建具枠の取付構造であって、建具枠１は、内側に納められる室外側障子（障子）１１および室内側障子（障子）１２を支持可能な障子支持部２と、障子支持部２に連結されて外壁（建物の躯体）１５に固定されるフィン（固定片部）３と、フィン３を外壁１５に固定する低頭ネジ（頭部が平らなネジ）４と、を有し、低頭ネジ４で固定されたフィン３が外壁１５に面接触している。【選択図】図２
2016118043.tif 000002
【特許請求の範囲】
【請求項１】
建物の開口部に建具枠を取り付ける建具枠の取付構造であって、
該建具枠は、内側に納められる障子を支持可能な障子支持部と、
該障子支持部に連結されて前記建物の躯体に固定される固定片部と、
該固定片部を前記建物の躯体に固定する頭部が平らなネジと、を有し、
前記ネジで固定された前記固定片部が前記建物の躯体に面接触していることを特徴とする建具枠の取付構造。
【請求項２】
前記固定片部は、平板状に形成され一方の面が前記建物の躯体に面接触している請求項１に記載の建具枠の取付構造。
【請求項３】
前記ネジは、ネジ部と、該ネジ部の一方の端部に連結され前記ネジ部よりも大径の頭部と、を有し、
該頭部の外周面は、前記ネジ部側から該ネジ部と離間する側に向かって漸次径が小さくなるテーパ面に形成されている請求項１または２に記載の建具枠の取付構造。
【請求項４】
前記ネジの頭部から前記固定片部を覆うように防水材が滑らかに設けられている請求項１乃至３のいずれか一項に記載の建具枠の取付構造。
【請求項５】
内側に納められる障子を支持可能な障子支持部と該障子支持部に連結された固定片部とを有する建具枠を前記建物の開口部に配置する建具枠配置工程と、
前記固定片部を前記建物の躯体に面接触させて頭部が平らなネジで固定する建具枠固定工程と、
前記ネジと前記固定片部とを防水材で被覆する防水材被覆工程と、を有することを特徴とする建具枠の施工方法。
【発明の詳細な説明】
【技術分野】
【０００１】
本発明は、建具枠の取付構造および建具枠の施工方法に関する。
【背景技術】
【０００２】
従来、建物の開口部に建具枠を取り付ける際には、建具枠に設けられたフィン（固定片部）を外壁などの建物の躯体に釘やネジで固定している。
釘で建物の躯体に固定されるフィンは、平板状に形成されていて、一方の面が建物の躯体と当接した状態となるように建物の躯体に固定されている。
これに対し、ネジで建物の躯体に固定されるフィンは、平板状の板部と板部の一方の面から突出するリブとを有する形状に形成されていて、リブが建物の躯体と当接し板部の一方の面と建物の躯体との間に隙間が設けられた状態となるように建物の躯体に固定されている（例えば特許文献１参照）。このようなフィンは、表面とネジの頭部との段差を抑えられるようにネジ孔の形状をネジの頭部に対応するテーパ状としている。このため、フィンに厚さを持たせる必要があり、フィンにリブが設けられている。
【先行技術文献】
【特許文献】
【０００３】
【特許文献１】特開２００７−０４０１０２号公報
【発明の概要】
【発明が解決しようとする課題】
【０００４】
ところで、建具枠をネジで建物の躯体に固定する場合、電動ドライバなどの工具を用いることができるため、建具枠を釘で建物の躯体に固定する場合と比べて効率よく作業を行うことができる。また、電動ドライバなどの工具を用いることで、作業者の技量にかかわらず簡単に工事を行うことができる。
しかしながら、ネジで建物の躯体に固定されるフィンは、板部とリブとを有する形状であるため、釘で建物の躯体に固定される平板状のフィンと比べて厚さ寸法が大きくなり、フィンと建物の躯体との段差が大きくなる。
そして、フィンと建物の躯体との段差が大きいと、建具枠まわりの防水処理やサイディング等の外装材の施工性が悪くなるとともに、建具枠まわりに貼りつけられた防水テープ（防水材）とこの段差部分との間にピンホールが形成され建具枠まわりの防水性に影響が出る虞がある。
【０００５】
本発明は、上述する問題点に鑑みてなされたもので、建具枠および建具枠まわりの施工性および防水性の高い建具枠の取付構造および建具枠の施工方法を提供することを目的とする。
【課題を解決するための手段】
【０００６】
上記目的を達成するため、本発明に係る建具の取付構造は、建物の開口部に建具枠を取り付ける建具枠の取付構造であって、該建具枠は、内側に納められる障子を支持可能な障子支持部と、該障子支持部に連結されて前記建物の躯体に固定される固定片部と、該固定片部を前記建物の躯体に固定する頭部が平らなネジと、を有し、前記ネジで固定された前記固定片部が前記建物の躯体に面接触していることを特徴とする。
【０００７】
また、本発明に係る建具枠の施工方法では、内側に納められる障子を支持可能な障子支持部と該障子支持部に連結された固定片部とを有する建具枠を前記建物の開口部に配置する建具枠配置工程と、前記固定片部を前記建物の躯体に面接触させて頭部が平らなネジで固定する建具枠固定工程と、前記ネジと前記固定片部とを防水材で被覆する防水材被覆工程と、を有することを特徴とする。
【０００８】
本発明では、固定片部が建物の躯体に面接触していることにより、従来のような板部と板部から突出するリブを有し建物の躯体と板部との間との間に隙間を設けるようにして建物の躯体に固定される固定片部を使用する場合と比べて、固定片部と建物の躯体との段差を小さくすることができる。このため、建具枠まわりの防水処理や外装材の施工性を高めることができる。また、建具枠まわりに貼りつけられた防水テープ（防水材）とこの段差部分との間にピンホールが形成されることが防止され、建具枠まわりの防水性を高めることができる。
また、ネジの頭部が平らであることにより、ネジの頭部を覆うように固定片部に防水材を貼りつける際に、防水材とネジの頭部の端面とが密着しやすいため、ネジの頭部と防水材との間に隙間が生じることが防止され、建具枠まわりの防水性を高めることができる。
【０００９】
また、ネジで建具枠を建物の躯体に固定するため、釘で建具枠を建物の躯体に固定する場合と比べて、電動ドライバなどの工具を使用して効率よく建具枠を建物の躯体に固定することができる。また、電動ドライバなどの工具を用いることで、作業者の技量にかかわらず簡単に工事を行うことができる。
【００１０】
また、本発明に係る建具の取付構造では、前記固定片部は、平板状に形成され一方の面が前記建物の躯体に面接触していることが好ましい。
このような構成とすることにより、固定片部と建物の躯体との段差をより小さくすることができる。このため、建具枠まわりの防水処理や外装材の施工性をより高めることができるとともに、建具枠まわりの防水性をより高めることができる。
また、固定片部が平板状に形成されていることにより、同じ建具枠をネジに代わって釘で建物の躯体に固定することができる。
【００１１】
また、本発明に係る建具の取付構造では、前記ネジは、ネジ部と、該ネジ部の一方の端部に連結され前記ネジ部よりも大径の頭部と、を有し、該頭部の外周面は、前記ネジ部側から該ネジ部と離間する側に向かって漸次径が小さくなるテーパ面に形成されていることが好ましい。
このような構成とすることにより、ネジの頭部を覆うように固定片部に防水テープを貼りつける際に、防水テープがネジの頭部の外周面に沿いやすいため、ネジの頭部と防水テープとの間に隙間が生じることが防止され、建具枠まわりの防水性を高めることができる。
【００１２】
また、本発明に係る建具の取付構造では、前記ネジの頭部から前記固定片部を覆うように防水材が滑らかに設けられていることが好ましい。
このような構成とすることにより、防水材が屈曲することがないため、防水材の損傷を防ぐことができる。また、防水材とネジ頭部とが密着するため、建具枠と建物の躯体とが固定されている部分の防水性を高めることができる。
【発明の効果】
【００１３】
本発明によれば、建具枠および建具枠まわりの施工性および防水性を高めることができる。
【図面の簡単な説明】
【００１４】
【図１】本発明の実施形態による引違サッシの一例を示す図で室内側から見た図である。
【図２】図１のＡ−Ａ線断面図である。
【図３】図１のＢ−Ｂ線断面図である。
【図４】（ａ）は図２のＣ部分を拡大した図で防止処理および外装材が施工される前の様子を示す図、（ｂ）は図２のＣ部分を拡大した図で防止処理および外装材が施工された様子を示す図である。
【発明を実施するための形態】
【００１５】
以下、本発明の実施形態による建具枠の取付構造および建具枠の施工方法について、図１乃至図４に基づいて説明する。
図１乃至図３に示すように、本実施形態による建具枠の取付構造では、建具枠１が室外側障子（障子）１１および室内側障子（障子）１２を有する引違サッシ１３の枠で建物の開口部１４に取り付けられている。
建具枠１は、内側に室外側障子１１および室内側障子１２が配置され室外側障子１１および室内側障子１２を見付け方向にスライド可能に支持する障子支持部２と、障子支持部２の外縁部全周に沿って設けられて外壁（建物の躯体）１５に固定されるフィン（固定片部）３と、フィン３を外壁１５に固定する複数の低頭ネジ（ネジ）４，４…と、を有している。
【００１６】
障子支持部２は、見付け方向に延在し室外側障子１１および室内側障子１２の上方に配置される上枠障子支持部２１と、見付け方向に延在し室外側障子１１および室内側障子１２の下方に配置される下枠障子支持部２２と、上下方向に延在し室外側障子１１および室内側障子１２の側方にそれぞれ配置される一対の縦枠障子部支持部２３，２３と、を有している。
また、フィン３は、見付け方向に延在し上枠障子支持部２１の上側に連結された上枠フィン３１と、見付け方向に延在し下枠障子支持部２２の下側に連結された下枠フィン３２と、上下方向に延在し一対の縦枠障子部支持部２３，２３それぞれの見付け方向の外側に連結された一対の縦枠フィン３３，３３と、を有している。
【００１７】
フィン３は、上枠フィン３１、下枠フィン３２および一対の縦枠フィン３３，３３ともに、例えば厚さが約１ｍｍのアルミニウムを材料として形成された平板状の板材で、板面が見込み方向を向き、室内側の面３ａ（図２乃至図４参照）が室外側から外壁１５に面接触した状態に配置されている。なお、障子支持部２のうち、フィン３が突設されている部分はフィン３と一体に成形されている。
また、フィン３には、上枠フィン３１、下枠フィン３２および一対の縦枠フィン３３，３３ともに、見込み方向に貫通し低頭ネジ４のネジ部４１を挿通可能な複数の孔部３４，３４…が障子支持部２の外周に沿って互いに間隔をあけて形成されている。
【００１８】
図４（ａ）に示すように、低頭ネジ４は、ネジ山が形成されたネジ部４１と、ネジ部４１の一方の端部に連結されネジ部４１よりも径の大きい頭部４２と、を有している。頭部４２は、ネジ部４１と連結されている第１端面４３および第１端面４３と反対側の第２端面４４がネジ部４１の軸方向に直交する平面となるように平坦に形成されている。頭部４２の第１端面４３は、フィン３を外壁１５に固定すると、フィン３の室外側の面３ｂと面接触している。
低頭ネジ４は、なべネジ、皿ネジ、丸皿ネジと比べて頭部４２の高さ寸法（第１端面４３から第２端面４４までの長さ寸法）が小さいネジで、本実施形態では、頭部４２の高さ寸法を約１．０ｍｍとしている。
また、頭部４２は、外周面４５が第１端面４３側から第２端面４４側に向かってその径が漸次小さくなるテーパ面に形成された略円錐台状に形成されている。
なお、本実施形態では、ネジ部４１のネジ径を３．１ｍｍとしている。フィン３の孔部３４は、このネジ径に対応した内径に形成されている。
【００１９】
次に、上記のような建具枠１を建物の開口部１４に取り付ける建具枠の施工方法について説明する。
まず、障子支持部２を建物の開口部１４に合せて配置する（建具枠配置工程）。続いて、フィン３の室内側の面３ａを室外側から外壁１５に面接触させ、低頭ネジ４のネジ部４１をフィン３の孔部３４に挿入し外壁１５に螺合させて、フィン３を外壁１５に固定する（建具枠固定工程）。このようにして建具枠１が建物の開口部１４に取り付けられる。
続いて、図４（ｂ）に示すように、建具枠１まわりの防水処理を行う（防水材被覆工程）。
まず、フィン３と外壁１５のフィン３近傍の部分とを一体に被覆するように室外側から防水テープ（防水材）６を貼りつける。このとき、低頭ネジ４の頭部４２も防水テープ６で被覆する。また、必要に応じて、防水テープ６の上に透湿防水シート７等を貼りつける。
そして、建具枠１の周りの防水処理が行われた後に、サイディング等の外装材８を施工する。
【００２０】
次に、上記の建具枠の取付構造および建具枠の施工方法の作用・効果について図面を用いて説明する。
上述した本実施形態による建具枠の取付構造および建具枠の施工方法では、フィン３の室内側の面３ａが外壁１５と面接触していることにより、従来のような板部と板部から突出するリブを有し外壁１５と板部との間との間に隙間を設けるようにして外壁１５に固定されるフィンを使用する場合と比べて、フィン３と外壁１５との段差を小さくすることができる。このため、建具枠１まわりの防水処理や外装材８の施工性を高めることができる。また、建具枠１まわりに貼りつけられた防水テープ６とこの段差部分との間にピンホールが形成されることが防止され、建具枠１まわりの防水性を高めることができる。
また、低頭ネジ４の頭部４２は、第２端面４４が平坦面に形成されていることにより、低頭ネジ４の頭部４２を覆うようにフィン３に防水テープ６を貼りつける際に、防水テープ６と低頭ネジ４の頭部４２の第２端面４４とが密着しやすいため、低頭ネジ４の頭部４２と防水テープ６との間に隙間が生じることが防止され、建具枠１まわりの防水性を高めることができる。
【００２１】
また、低頭ネジ４で建具枠１を外壁１５に固定するため、釘で建具枠１を外壁１５に固定する場合と比べて、電動ドライバなどの工具を使用して効率よく建具枠１を外壁１５に固定することができる。また、電動ドライバなどの工具を用いることで、作業者の技量にかかわらず簡単に工事を行うことができる。
また、皿ネジやなべネジと比べて頭部４２の高さ寸法が小さい低頭ネジ４でフィン３を外壁１５に固定していることにより、皿ネジやなべネジでフィン３を外壁１５に固定した場合と比べて、フィン３からの頭部４２の突出寸法を小さくすることができる。このため、従来のような板部と板部から突出するリブを有するフィンに代わって、本実施形態のような平板状のフィン３を使用して低頭ネジ４で建具枠１を外壁１５に固定することができる。
また、フィン３が平板状に形成されていることにより、建具枠１を低頭ネジ４に代わって釘で外壁１５に固定する場合にも、同じ建具枠１を使用することができる。特に、本実施形態では、低頭ネジ４のネジ部４１のネジ径を３．１ｍｍと、一般のネジよりも小径とし、フィン３に形成される孔部３４を低頭ネジ４のネジ部４１のネジ径に対応した内径に形成しているため、釘で建具枠１を外壁１５に固定する場合にも、本実施形態による建具枠１を使用することができる。
【００２２】
また、低頭ネジ４の頭部４２の外周面４５は、第１端面４３側から第２端面４４側に向かって漸次径が小さくなるテーパ面に形成されていることにより、低頭ネジ４の頭部４２を覆うようにフィン３に防水テープ６を貼りつける際に、防水テープ６が低頭ネジ４の頭部４２の外周面４５に沿いやすいため、低頭ネジ４の頭部４２と防水テープ６との間に隙間が生じることが防止され、建具枠１まわりの防水性を高めることができる。
【００２３】
また、本実施形態では、低頭ネジ４の頭部４２の第２端面４４が平坦面に形成されているとともに、第１端面４３がフィン３の室外側の面３ｂと面接触し、さらに低頭ネジ４の頭部４２の外周面４５が第１端面４３側から第２端面４４側に向かって漸次径が小さくなるテーパ面に形成されていることにより、防水テープ６のうち低頭ネジ４の頭部４２とフィン３とを一体に覆う部分を凹凸や屈曲する部分がなく滑らかに設けることができる。また、上述したようにフィン３と外壁１５との段差を小さくできることにより、防水テープ６のうちフィン３と外壁１５とを一体に覆う部分を凹凸や屈曲する部分がなく滑らかに設けることができる。
そして、低頭ネジ４の頭部４２から外壁１５にわたって防水テープ６を滑らかに設けることができるため、防水テープ６の損傷を防止できるとともに、防水テープ６と低頭ネジ４の頭部４２とが密着するため、建具枠１まわりの防水性を高めることができる。
【００２４】
以上、本発明による建具枠１の実施形態について説明したが、本発明は上記の実施形態に限定されるものではなく、その趣旨を逸脱しない範囲で適宜変更可能である。
例えば、上記の実施形態では、建具枠１は引違サッシ１３の枠としているが、ドアや滑り出し窓などの枠としてもよい。
また、上記の実施形態では、フィン３は外壁１５に固定されているが、例えば、屋根など外壁１５以外の建物の躯体に固定されていてもよい。
また、上記の実施形態では、低頭ネジ４の頭部４２は、外周面４５がテーパ面に形成された略円錐台状に形成されているが、略円柱状に形成されていてもよい。
また、上記の実施形態では、フィン３を外壁１５に固定するネジは、皿ネジやなべネジと比べて頭部４２の高さ寸法が小さい低頭ネジ４であるが、頭部４２の第２端面４４が平らなネジであれば、低頭ネジ４以外であってもよい。
また、上記の実施形態では、フィン３は平板状に形成されて室内側の面３ａが外壁１５に面接触しているが、外壁１５と面接触していれば平板状以外の形状に形成されていてもよい。
【符号の説明】
【００２５】
１  建具枠
２  障子支持部
３  フィン（固定片部）
３ａ  室内側の面（一方の面）
３ｂ  室外側の面
４  低頭ネジ（ネジ）
６  防水テープ（防水材）
８  外装材
１１  室外側障子（障子）
１２  室内側障子（障子）
１３  引違サッシ
１４  開口部
１５  外壁（建物の躯体）
４１  ネジ部
４２  頭部
４３  第１端面
４４  第２端面
４５  外周面
【図１】
2016118043.tif 000003
【図２】
2016118043.tif 000004
【図３】
2016118043.tif 000005
【図４】
2016118043.tif 000006